(57)【要約】【課題】  横臥位の姿勢で下になった肩を保護するために、側胸部にクッションを取り付けた衣服を提供する。【解決手段】  上半身に着用する下着、パジャマ、Ｔシャツ等の衣服と、横臥位になったときに人体の腋下部付近から腰部付近までの湾曲に適合できる弾性を有するとともに、肩関節付近を圧迫から保護できる厚みを有するクッションと、前記衣服とクッションの少なくとも一方に設けられ、衣服とクッションを着脱自在に取り付けることができる取付手段とより構成されたことを特徴とする衣服型肩用クッション。【選択図】図１
2008194407.tif 000002
【特許請求の範囲】
【請求項１】
上半身に着用する下着、パジャマ、Ｔシャツ等の衣服と、横臥位になったときに人体の腋下部付近から腰部付近までの湾曲に適合できる弾性を有するとともに、肩関節付近を圧迫から保護できる厚みを有するクッションと、前記衣服とクッションの少なくとも一方に設けられ、衣服とクッションを着脱自在に取り付けることができる取付手段とより構成されたことを特徴とする衣服型肩用クッション。
【請求項２】
上半身に着用する下着、パジャマ、Ｔシャツ等の衣服と、横臥位になったときに人体の腋下部付近から腰部付近までの湾曲に適合できる弾性を有するとともに、肩関節付近を圧迫から保護できる厚みを有するクッションと、前記衣服とクッションを直結させる直結手段とより構成されたことを特徴とする衣服型肩用クッション。
【発明の詳細な説明】
【技術分野】
【０００１】  横向きの姿勢では、下になった肩関節は圧迫され血液の循環も停滞する。このように横臥位になったとき下側の圧迫される肩関節を保護するため腋下、側胸部にクッションや綿等のふくらみ、厚みをもたせたものである。
【背景技術】
【０００２】  横向きに寝ると下側になった肩を圧迫し、寝苦しさを覚える。
特に事情があって横向きにしかねられない人は、圧迫される肩を助けるため左右頻繁にゴロゴロと姿勢を変えるため疲労を感じる。
腋下、側胸部にふくらみ、厚みを備えた服はない。
又、側胸部にあてるクッションは現存するが、反対向きになる際は一旦身体を起き上がらせねばならず、寝たきりの老人や病人、または筋力の衰えた方は不便である。
【発明の開示】
【発明が解決しようとする課題】
【０００３】（イ）横臥位の姿勢では、下になった肩は圧迫され血液の循環を阻害し、周辺組織を痛め      る原因にもなりうる。
（ロ）五十肩、又は肩関節周囲炎の人は横向きに寝たくても、下になる肩が圧迫され痛み      を感じるため横向きになれない。
（ハ）寝たきり患者は同じ姿勢の時間が長く、仰臥位が長くなると臀部周辺や踵に褥瘡が      できるため横向きに寝る機会も多くなる。横臥位が長くなると下になる肩が重苦し      く感じたり肩にコリを感じたりする。
本発明は以上のような問題を解決するためになされたものである。
【課題を解決するための手段】
【０００４】    上半身に着用する下着、パジャマ、Ｔシャツ等の衣服と、横臥位になったときに人体の腋下部付近から腰部付近までの湾曲に適合できる弾性を有するとともに、肩関節付近を圧迫から保護できる厚みを有するクッションと、前記衣服とクッションの少なくとも一方に設けられ、衣服とクッションを着脱自在に取り付けることができる取付手段とより構成されたことを特徴とする衣服型肩用クッション。
また上半身に着用する下着、パジャマ、Ｔシャツ等の衣服と、横臥位になったときに人体の腋下部付近から腰部付近までの湾曲に適合できる弾性を有するとともに、肩関節付近を圧迫から保護できる厚みを有するクッションと、前記衣服とクッションを直結させる直結手段とより構成されたことを特徴とする衣服型肩用クッション。
【発明の効果】
【０００５】  本発明を使用し横向きに寝ると、腋の下の厚みと頭の枕が支えになって下側になった肩を保護し、圧迫から免れる。
横臥位から反対側の横臥位へ向きを変える際、いちいち身体を起きあがらせてクッションを移動したりすることなく、寝たままの姿勢でゴロゴロと容易に体位を変えることができる。
衣服が汚れた際は、クッションを取りはずして洗濯ができる。
【発明を実施するための最良の形態】
【０００６】  以下、本発明の第一の実施の形態について説明する。
上半身に着用する衣服の両側胸部にクッションが入る形状のポケット（１）を設ける。
クッション（３）は腋下部（４）付近から腰部（５）付近まで覆うことができる形状で、内面（６）は円弧状の形状になっていることが望ましい。
円弧状にすることで人体の湾曲にほぼ適合することができ、さらにクッション（３）が有する弾性によって不特定多数の人に適合できる。
クッション（３）の外面（７）も横臥位から体位を変える際に動きやすいよう円弧状になっていることが望ましい。
図２に示すようにクッション（３）の断面形状は三日月型であるが図１５に示すような形状でもよい。
またクッションの厚みは腋下部（４）付近が最も厚く、腰部（５）付近が最も薄くなるように傾斜がついた形状が望ましい。このような形状にすることで、横臥位になったときに、側腹部等に負担をかけずに肩を保護し、圧迫から免れる。
クッションの内容物の材質はウレタン、ジェル、エア、綿等が望ましい。
ジェルやエア等を入れる場合は気密性が確保できる材質を外郭に使用する。
またウレタン、スポンジ等の固形物を内容物に使用する場合は、外郭、カバー等を用いずにウレタン、スポンジ等をそのままクッションの形状に成型してもよい。
本発明は以上のような構成になっている。本発明を使用するときはクッション（３）を衣服（２）のポケット（１）に挿入し横になる。
クッション（３）を衣服のポケット（１）に挿入着用し横になれば、左右どちらを向くためにも身体を起き上がらせることなく移行できるし、横向きになった際は、クッションと枕で下になった肩を保持できる。【０００７】  本発明の第二の実施の形態について説明する。
前記第一の実施の形態と主に異なる点は取付手段としてポケット（１）を用いる代わりに、衣服（２）とクッション（３）の両方に面ファスナー（８）を用いる点である。
また面ファスナー（８）ではなくボタン（９）等でもよい。
【図面の簡単な説明】
【０００８】
【図１】  本発明の第一の実施の形態の正面図
【図２】  本発明のクッションの斜視図
【図３】  本発明の第一の実施の形態の衣服の正面図
【図４】  本発明の第一の実施の形態の衣服の背面図
【図５】  本発明の第一の実施の形態の使用状態を示す斜視図
【図６】  本発明の第一の実施の形態の使用状態を示す斜視図
【図７】  本発明の第二の実施の形態の衣服の正面図
【図８】  本発明の第二の実施の形態の衣服の側面図
【図９】  本発明の第二の実施の形態の衣服の背面図
【図１０】  本発明の第二の実施の形態のクッションの斜視図
【図１１】  本発明の第二の実施の形態の衣服の正面図
【図１２】  本発明の第二の実施の形態の衣服の側面図
【図１３】  本発明の第二の実施の形態の衣服の背面図
【図１４】  本発明の第二の実施の形態のクッションの斜視図
【図１５】  クッションの斜視図  ａ，ｂは角柱形状のクッション  ｃは略Ｕ字形状のクッション  ｄは楕円形状のクッション
【符号の説明】
【０００９】  １  ポケット
２  衣服
３  クッション
４  腋下部
５  腰部
６  内面
７  外面
８  面ファスナー
９  ボタン
１０  ボタン受け
【図１】
2008194407.tif 000003
【図２】
2008194407.tif 000004
【図３】
2008194407.tif 000005
【図４】
2008194407.tif 000006
【図５】
2008194407.tif 000007
【図６】
2008194407.tif 000008
【図７】
2008194407.tif 000009
【図８】
2008194407.tif 000010
【図９】
2008194407.tif 000011
【図１０】
2008194407.tif 000012
【図１１】
2008194407.tif 000013
【図１２】
2008194407.tif 000014
【図１３】
2008194407.tif 000015
【図１４】
2008194407.tif 000016
【図１５】
2008194407.tif 000017